(57)【要約】【課題】コネクタの嵌合解除作業を行う際に電線及び電線カバーが作業の妨げとなるのを防止する。【解決手段】雄コネクタ１０との嵌合状態を保持するロックアーム３１と、ロックアーム３１と雄コネクタ１０との係合を解除するロック解除操作部３５とを設けたコネクタハウジング２１と、コネクタハウジング２１の後面側に取り付けられると共に電線導出口４１を備えコネクタハウジング２１の後面から延出された電線群Ｗを上面３１Ａとの交差方向に沿うようにほぼＬ字型に屈曲させつつ案内して電線導出口４１から電線群Ｗを導出させる電線カバー４０とを備えた電線カバー付きコネクタ２０において、電線カバー４０の電線導出口４１を、ロック解除操作部３５の後方に連なる領域から外して形成することで、電線カバー４０の外側面のうちロック解除操作部３５の後方に連なる領域にロック解除操作部３５の操作用の手指Ｆの導入部１０１Ａを形成した。【選択図】図１
2010009788.tif 000002
【特許請求の範囲】
【請求項１】
コネクタハウジングの一外側面に相手方コネクタと係合することでその相手方コネクタとの嵌合状態を保持するロックアームを備えると共に、そのロックアームの後端部に手指で押圧操作することで前記ロックアームと前記相手方コネクタとの係合を解除するロック解除操作部を設けたコネクタと、前記コネクタハウジングの後面側に取り付けられると共に電線導出口を備え前記コネクタハウジングの後面から延出された電線群を前記ロックアームを配置した前記外側面との交差方向に沿うようにほぼＬ字型に屈曲させつつ案内して前記電線導出口から前記電線群を導出させる電線カバーとを備えた電線カバー付きコネクタにおいて、
前記電線カバーの前記電線導出口を、前記ロック解除操作部の後方に連なる領域から外して形成することで、前記電線カバーの外側面のうち前記ロック解除操作部の後方に連なる領域に前記ロック解除操作部の操作用の手指の導入部を形成したことを特徴とする電線カバー付きコネクタ。
【請求項２】
前記電線カバーは、前記電線の導出方向に沿って分割された上部カバーと下部カバーとから構成され、前記上部カバー及び下部カバーの合わせ面は、前記電線導出口の周縁では前記電線導出方向に沿って形成されると共に、それ以外では前記ロックアームを配置した前記外側面とほぼ並行するように配置されていることを特徴とする請求項１記載の電線カバー付きコネクタ。
【請求項３】
前記上部カバー及び前記下部カバーを一体化状態に保持するための係合機構が前記ロック解除操作部を前記コネクタハウジングの左右両側方から挟む位置と、前記ロック解除操作部から離れた後端部とに設けられていることを特徴とする請求項２に記載の電線カバー付きコネクタ。
【請求項４】
前記上部カバーには前記電線導出口を構成する電線導出筒が一体に立ち上がり形成されていることを特徴とする請求項２又は請求項３に記載の電線カバー付きコネクタ。
【発明の詳細な説明】
【技術分野】
【０００１】
本発明は、電線カバー付きコネクタに関する。
【背景技術】
【０００２】
従来、自動車に用いられるワイヤハーネスにおいて、電線の端末に設けられた電線カバー付きコネクタとして、下記特許文献に記載されているものがある。このような電線カバーはＬ字形の筒状をなしており、コネクタの後部に取り付けられる。これにより、コネクタの後端から導出される電線を内部に収容しＬ字状に曲げて配索する構成となっている。
【特許文献１】特開２００４−２９６１２２公報
【発明の開示】
【発明が解決しようとする課題】
【０００３】
電線を曲げる方向は、コネクタとコネクタから導出された電線が接続される部品との位置関係などに基づいて決定され、様々な方向で設定される。図１２及び図１３にて示すように、電線１を電線カバー５から導出するための電線導出口６をコネクタ２のロックアーム３の解除操作部４の真後ろに配置した構成のものでは、解除操作部４の後方（図１３では右側）に電線１が上方に立ち上がるように配置されていた。
【０００４】
このような構成のものでは、相手方コネクタ（図示せず）との嵌合を解除する際に、電線１や電線カバー５が邪魔になり解除操作部４を押圧操作するための手指を差し入れにくいという問題がある。特に、コネクタが小型化されたものでは、手指の挿入スペースが一層小さくなる。かといって、電線導出口６をコネクタ２から後方に離すように配置する構造では、電線カバー５が後方に長い形状になり、電線カバー付きコネクタ全体として大型化してしまう。本発明は上記のような事情に基づいて完成されたものであって、コネクタの嵌合解除作業を行う際に電線及び電線カバーが作業の妨げとなるのを防止することを目的とする。
【課題を解決するための手段】
【０００５】
本発明は、コネクタハウジングの一外側面に先端部が相手方コネクタと係合することでその相手方コネクタとの嵌合状態を保持するロックアームを備えると共に、そのロックアームの後端部に手指で押圧操作することで前記ロックアームと前記相手方コネクタとの係合を解除するロック解除操作部を設けたコネクタと、前記コネクタハウジングの後面側に取り付けられると共に電線導出口を備え前記コネクタハウジングの後面から延出された電線群を前記ロックアームを配置した前記外側面との交差方向に沿うようにほぼＬ字型に屈曲させつつ案内して前記電線導出口から前記電線群Ｗを導出させる電線カバーとを備えた電線カバー付きコネクタにおいて、前記電線カバーの前記電線導出口を、前記ロック解除操作部の後方に連なる領域から外して形成することで、前記電線カバーの外側面のうち前記ロック解除操作部の後方に連なる領域に前記ロック解除操作部の操作用の手指の導入部を形成したことに特徴を有する。
【０００６】
この発明の実施態様として以下の構成とすることが好ましい。
・前記電線カバーは、前記電線の導出方向に沿って分割された上部カバーと下部カバーとから構成され、前記上部カバー及び下部カバーの合わせ面は、前記電線導出口の周縁では前記電線導出方向に沿って形成されると共に、それ以外では前記ロックアームを配置した前記外側面とほぼ並行するように配置されている。このようにしておけば、電線カバーは電線群の導出方向に沿って分割されているため、電線群を予め電線カバーの形状に対応して屈曲させておき、上部カバーと下部カバーとの間に挟み込むようにすれば、一体部品で屈曲する筒状の電線カバーに電線群を挿入するのと比べて、電線カバー内に容易に収納することができる。また、上部カバー及び下部カバーの合わせ面は電線導出口の周縁以外では前記ロックアームを配置した前記外側面とほぼ並行するように配置されている。このため上部カバー及び下部カバーの継ぎ目が側面に現れるから、導入部をフラットな面とでき、手指を導入部に差し入れ易くなる。
【０００７】
・前記上部カバー及び前記下部カバーを一体化状態に保持するための係合機構が前記ロック解除操作部を前記コネクタハウジングの左右両側方から挟む位置と、前記ロック解除操作部から離れた後端部とに設けられている。このようにしておけば、導入部に手指を置く際に係合機構が邪魔にならないため嵌合解除作業が行い易い。
【０００８】
・前記上部カバーには前記電線導出口を構成する電線導出筒が一体に立ち上がり形成されている。このようにしておけば、電線導出筒が電線群の向きを規制するから、より確実に電線群を導出方向に向けることができる。
【発明の効果】
【０００９】
本発明によれば、電線カバー付きコネクタと相手方コネクタとが嵌合されている状態で、この嵌合を解除するためには、手指を電線カバー付きコネクタの後方から導入部に差し入れ、ロック解除操作部を押圧操作すればよい。このようにすれば、電線導出口及びそこから導出された電線群が手指の差し入れの邪魔にならず嵌合解除作業を容易に行うことができる。また、電線導出口をロック解除操作部の後方に連なる領域から外すことで導入部を形成してあるため、電線導出口をコネクタの後方に離すように配置して、導入部を形成する構成と比べると電線カバー全体を小型化できる。
【発明を実施するための最良の形態】
【００１０】
＜実施形態＞
本発明の一実施形態を図１ないし図１１によって説明する。本実施形態の電線カバー付きコネクタ２０は、例えば自動車に搭載される電装品を電気的に接続するために用いられ、直方体をなす雌型のコネクタハウジング２１（以下、単に雌ハウジング２１という）と、この後面側に組み付けられる略Ｌ字型をなす電線カバー４０とを主体に構成される。電線カバー４０は図１及び図２にて示すように雌ハウジング２１の後方（図１の右側）から導出された電線Ｗ１をひとまとめにして電線群Ｗとして、電線カバー４０内部にＬ字型に屈曲させた状態で収容し、図２の上側から導出させる構成となっている。
【００１１】
図５にて示すように電線カバー付きコネクタ２０の雌ハウジング２１には雄型の相手方コネクタ（以下の説明では雄コネクタ１０と呼ぶ）が嵌合可能となっている。なお、以下の説明において、前側とは両コネクタ１０、２０それぞれの嵌合面側を示すものとし、その逆側を後方とする。また、幅方向とは図３における左右方向を示すものとし、上下方向については図２や図３を基準とする。
【００１２】
雄コネクタ１０を構成する雄ハウジング１１（本発明の相手側ハウジングに相当する）は合成樹脂製であり、前端に前方に開口する角筒状のフード部１２を設けている。雄ハウジング１１の内部には導電性に優れた金属板により形成された複数の雄端子金具１３が前端に設けられるタブ１３Ａをフード部１２内に突出させた状態で上下２段収容されている。なお、この雄端子金具１３は雄ハウジング１１に一体的に形成されるランス（図示せず）並びに別部品よりなるリテーナ１４によって２重係止されている。
【００１３】
フード部１２は前方から雌ハウジング２１を受け入れ可能な大きさに形成されると共に、上面壁１２Ａにおける前端寄りの位置であって幅方向の中央部には、下方に突出するロック受け部１４が形成されている。このロック受け部１４の後側の壁面は係止面１４Ａとされており、そこには後述する雌ハウジング２１に形成されたロックアーム３１のロック突部３２が係止されるようになっている。
【００１４】
雌ハウジング２１の内部には長手方向に連通するキャビティ２２が上下２段で図３の左右方向に整列して形成されており、各キャビティ２２には雄端子金具１３に対応する雌端子金具２３がそれぞれ挿入されている。雌端子金具２３は導電性に優れた金属板により形成され、前端側には雄端子金具１３のタブ１３Ａを挿入可能な挿入口２３Ａが開口されている。
【００１５】
雌ハウジング２１の前面には雄端子金具１３のタブ１３Ａがキャビティ２２内に前方から進入するのを許容するタブ挿通孔２４が開口されている。雌端子金具２３の後端側のバレル２５には、これをかしめることで電線Ｗ１が固着されている。各電線Ｗ１は各キャビティ２２の後方から延出されている。また、雌端子金具２３は雌ハウジング２１に一体的に形成されるランス（図示せず）並びに別部品よりなるリテーナ２６によって２重係止されている。
【００１６】
雌ハウジング２１の上面２１Ａにはロックアーム３１が一体的に設けられている。ロックアーム３１は上面２１Ａの幅方向の中央部分において、雌ハウジング２１の前端から立ち上がり、そこから後方へ向けてほぼ水平に延設され、上面２１Ａとの間に撓み空間２８を保有する片持ち状をなしている。
【００１７】
ロックアーム３１には、長さ方向（前後方向）におけるほぼ中央部に上方に突き出すようにしてロック突部３２が形成されている。このロック突部３２の前側には前側に向かって下降傾斜する案内面３２Ａが形成され、後側には切り立つ係止面３２Ｂが形成されている。このロックアーム３１は上面３１Ａが雄ハウジング１１のフード部１２に隙間を持って嵌合される高さ寸法に設定され、ロック突部３２は対応するフード部１２のロック受け部１４に突き当たるような高さに設定されている。
【００１８】
また、図３にて示すようにロックアーム３１の上面３１Ａにおける左右両側縁にはロックアーム３１と平行に延びる一対のガイド壁３４が形成されており、コネクタ嵌合作業時に雄ハウジング１１のロック受け部１４を嵌合方向に沿うように規制することでロックアーム３１とロック受け部１４の係合を確実に行うようになっている。
【００１９】
図１にて示すように、ロックアーム３１の後端部は平面視で幅方向に長い長方形をなすロック解除操作部３５とされている。これにより、ロック解除操作部３５を手指で押圧操作して、ロックアーム３１を撓み空間２８内に弾性変位させることができる。
【００２０】
また、図１に示すように、雌ハウジング２１の上面２１Ａにおける左右両側縁には嵌合方向に延びる側壁３６がそれぞれ立設されている。そして、両側壁３６の内側であって、後端付近にはロック解除操作部３５の前部を覆うようにアーチ状の保護壁３７が形成されており、ロックアーム３１を保護すると共に両ハウジング１１、２１がロック状態にあるときにロックアーム３１が偶発的に押されて変位しない構成となっている。
【００２１】
保護壁３７における後端側の位置であって、幅方向の両端には、外側（図４の上下両側）に向かって突き出す嵌合突部３８がそれぞれ形成されている。また、雌ハウジング２１の下壁２１Ｄの後端には、幅方向に延びて下方に突き出す嵌合突部２１Ｂが形成されている（図５参照）。
【００２２】
電線カバー４０は合成樹脂製であって平面視及び側面視で略Ｌ字型をなす略筒状をなしており、その内部に電線群Ｗを収容可能となっている。電線カバー４０は図６にて示すように互いに別体部品として成形された下部カバー５０及び上部カバー１００から分割構成され、下部カバー５０の上方から上部カバー１００を合体させることで構成される。
【００２３】
下部カバー５０は、図４に示すように平面視で略台形をなす底壁５１と、底壁５１から立設された各側壁５３、５７、５８及び第１半割体５２とから構成され、上面を開放する略箱状をなしている。前側を除いた底壁５１の周縁は各側壁５３、５７、５８及び第１半割体５２によって取り囲まれ下部内部スペースＳＬが形成されている。下部内部スペースＳＬは雌ハウジング２１が収容される収容スペースＳＬ１、電線群Ｗが配索される下部水平スペースＳＬ２及び下部垂直スペースＳＬ３から構成されている。
【００２４】
底壁５１の前側であって、幅方向の両端には、コネクタ嵌合方向（図４の左右方向）に沿って一対の下部第１側壁５３Ｒ、５３Ｌが形成されている。この下部第１側壁５３の配置間隔は雌ハウジング２１の幅とほぼ同じであり、下部第１側壁５３間が収容スペースＳＬ１となっている。
【００２５】
各下部第１側壁５３Ｒ、５３Ｌの内面側には、内方へ突設する下部当接部５４がそれぞれ形成されており、この両下部当接部５４に雌ハウジング２１の嵌合突部３８の前面２１Ｃが突き当たることで、雌ハウジング２１に組み付けられた際の位置決めがされる。
【００２６】
また、図５にて示すように収容スペースＳＬ１の後端付近の底壁５１は下方に突設された指掛け部５１Ｂとなっており、指掛け部５１Ｂの上面に嵌合凹部５５が形成されている。嵌合凹部５５に雌ハウジング２１の嵌合突部２１Ｂが嵌合することで雌ハウジング２１と電線カバー４０の嵌合方向の位置規制がされる。
【００２７】
第１半割体５２は図４における上側の下部第１側壁５３Ｒの後端側に形成されている。第１半割体５２は後述する上部カバー１００の第２半割体１０２と合体することで、電線群Ｗが導出される電線導出口４１を構成するもので、下部カバー５０内側へ開口した半円筒状をなし、図７にて示すように底壁５１から外側に上昇傾斜した傾斜部５１Ａから図７の上方向（電線カバー４０を雌ハウジング２１に組み付けた際に、雌ハウジング２１のロックアーム３１が配置された上面３１Ａに対して直交する方向）に延設されている。また第１半割体５２の内側は前述した下部垂直スペースＳＬ３とされる。
【００２８】
図３にて示すように第１半割体５２の上面において、外側寄りの位置には電線導出筒５２Ａが一体に立ち上がり形成されている。電線導出筒５２Ａは平面視で第１半割体５２と同じ曲率の断面円弧状をなしている。また、電線導出筒５２Ａの外面の上端付近であって、嵌合方向（図４の左右方向）の両端にはフランジ部５６Ｕがそれぞれ形成されている。フランジ部５６Ｕの下方であって、平面視で両フランジ部５６Ｕの間にはフランジ部５６Ｄが形成されている。フランジ部５６Ｕ及びフランジ部５６Ｄの間に図示しない結束バンド（又はテープ）を巻回することで電線群Ｗを束ね、電線導出筒５２Ａに固定可能となっている。
【００２９】
第１半割体５２の図６における左右方向両側には、それぞれ下部第１側壁５３より高く設定された下部第２側壁５７が形成されており、前方側の下部第２側壁５７Ｆは下部第１側壁５３Ｒと繋がっている（図４）。一方、後方側の第２側壁５７Ｂと下部第１側壁５３Ｌの後端部同士は下部第３側壁５８によって繋がれている。下部第３側壁５８は図４にて示すように、平面視では下部第１側壁５３Ｌの後端部からコネクタ１０、２０の嵌合方向に沿って延びた後、嵌合方向に対して斜めに向きを変え第２側壁５７Ｂに向かって延びており、全体として略Ｌ字型をなしている。
【００３０】
下部第１側壁５３Ｌと下部第３側壁５８は同じ高さで設定され、その上面は面一をなしている。また、下部第２側壁５７、下部第３側壁５８によって囲まれるように前述した下部水平スペースＳＬ２が形成されている。
【００３１】
両下部第１側壁５３の外面には、それぞれ第１保持片５９が設けられており、第３側壁５８の外面の後端側には第２保持片６０が設けられている。また、図１にて示すように、雌ハウジング２１に電線カバー４０が取り付けられた時には、第１保持片５９は雌ハウジング２１の左右両側方から挟む位置に配置され、第２保持片６０はロック解除操作部３５から離れた電線カバー４０後端側に配置される。
【００３２】
保持片５９、６０は外方への撓み変形が可能で、上部カバー１００との合体方向（図６の上方向）に沿って上方に延出し平行をなす一対の摺接部６１と、この両摺接部６１の延出端同士を連結する連結部６２とから構成されており、コの字形をなしている。そして、両摺接部６１と連結部６２とに囲まれて係止孔６３が形成されている。
【００３３】
上部カバー１００は平面視で略台形をなしており、上壁１０１と上壁１０１の図４における上側に設けられた第２半割体１０２とを主体に構成されている。上壁１０１からは、下部カバー５０の下部第３側壁５８と対応する箇所に下方に延びる上部第３側壁１０８が形成されており、前側及び下側を開放する略箱状をなしている。
【００３４】
上壁１０１の幅方向（図４の上下方向）の両端から前方に向けて、上部第１側壁１０３Ｒ、１０３Ｌがそれぞれ延設されている。上部第１側壁１０３Ｒ、１０３Ｌは、上部カバー１００と下部カバー５０の合体時において、下部第１側壁５３Ｒ、５３Ｌとそれぞれ対応する位置に形成されており、幅方向の配置間隔は雌ハウジング２１の幅とほぼ同じと設定されている。
【００３５】
上部カバー１００と下部カバー５０との合体時には、上部第１側壁１０３Ｒ、１０３Ｌの各下面１０３ＲＡ、１０３ＬＡが下部第１側壁５３Ｒ、５３Ｌの各上面５３ＲＡ、５３ＬＡとの合わせ面となり、この合わせ面は雌ハウジング２１との嵌合時にロックアーム３１が配置された雌ハウジング２１の上面２１Ａとほぼ並行するように配置されている。
【００３６】
各上部第１側壁１０３の上端は、それぞれ内側に延出するハウジング押さえ部１０３Ａとなっている。ハウジング押さえ部１０３Ａは雌ハウジング２１の各側壁３６の前端部分を上から押さえつけることで、雌ハウジング２１を固定する構成となっている。
【００３７】
図４にて示すように、各上部第１側壁１０３Ｒ、１０３Ｌの内面側でハウジング押さえ部１０３Ａの後方には、下部カバー５０の下部当接部５４と対応する上部当接部１０４が突設されている。上部第１側壁１０３、ハウジング押さえ部１０３Ａ、上部当接部１０４に囲まれてコネクタ嵌合凹部１０５が形成され、雌ハウジング２１の嵌合突部３８がコネクタ嵌合凹部１０５に嵌合することで、嵌合方向における雌ハウジング２１の規制がされる。
【００３８】
また、図７にて示すように各上部第１側壁１０３の内面には、突部１０３Ｂがそれぞれ形成されており、雌ハウジング２１の側面を左右から押さえつけることで、雌ハウジング２１と電線カバー４０との間に生じるガタツキを防止している。
【００３９】
上部第３側壁１０８は、下部第３側壁５８と対応して図４の点線にて示すように、下側の上部第１側壁１０３Ｌの後端部から嵌合方向に沿って延びた後、第２半割体の後端側に向かうように延びている。上部第３側壁１０８の内側は上部水平スペースＳＵ２とされる。
【００４０】
上部カバー１００と下部カバー５０との合体時には、上部水平スペースＳＵ２と下部カバー５０の下部水平スペースＳＬ２によって電線群Ｗの水平配索スペースＳ２が形成され、上部第３側壁１０８の下面１０８Ａは下部第３側壁５８の上面５８Ａとの合わせ面となる。これらの合わせ面は雌ハウジング２１に電線カバー４０を組み付けた時にロックアーム３１が配置された雌ハウジング２１の上面２１Ａとほぼ並行するように配置されている。
【００４１】
第２半割体１０２は、前述した第１半割体５２と合体することで電線導出口４１を構成するもので、平面視で半円形状をなし、図７にて示すように上壁１０１から、図７の上方向（雌ハウジング２１のロックアーム３１が配置された上面３１Ａに対して直交する方向）に立ち上がり形成されている。第２半割体１０２の図４にて示す上側は、上部カバー１００内側へ半円形状で開口され、上部垂直スペースＳＵ３が形成されている。これにより第１半割体５２と合体して電線導出口４１を構成した時に、その内部に上部垂直スペースＳＵ３及び第１半割体５２の下部垂直スペースＳＬ３からなる電線群Ｗの垂直配索スペースＳ３が形成される。
【００４２】
また、上部カバー１００と下部カバー５０との合体時には、第２半割体１０２の各側面１０２Ａは各下部第２側壁５７の内面５７Ａとの合わせ面となっており、この合わせ面は電線導出口４１の電線導出方向（上下方向）に沿って形成されている。
【００４３】
雌ハウジング２１の後方から延出された電線群Ｗは、上記の水平配索スペースＳ２及び垂直配索スペースＳ３に収容され電線導出口４１から導出される。具体的には、コネクタ１０、２０の嵌合方向に沿って配索された電線群Ｗは水平配索スペースＳ２内で電線導出口４１に向かうように下部第３側壁５８の形状に沿って、屈曲されつつ案内された後、垂直配索スペースＳ３内で図２の上方向（ロックアーム３１が配置された上面３１Ａと直交する方向）に沿うようにＬ字型に屈曲されつつ案内され電線導出口４１から導出される。
【００４４】
そして、電線カバー４０に雌ハウジング２１が取り付けられた状態では、電線導出口４１及び電線カバー４０から導出された電線群Ｗは図１にて示すように、ロック解除操作部３５の後方に連なる領域から外れるように、雌ハウジング２１の後ろから見て右側（図１の上側）に偏らせて配置される。これにより上壁１０１の上面（本発明における「電線カバーの外側面」に相当）には手指Ｆを導入可能な導入部１０１Ａが形成される。なお、ロック解除操作部３５の後方に連なる領域とは、図９にて示すようにロック解除操作部３５に後方から手指Ｆを差し入れた際に、手指Ｆが配置される領域であり、本実施形態では上壁１０１の上側領域に相当する。
【００４５】
図４及び図６にて示すように各上部第１側壁１０３Ｒ、１０３Ｌの外面には、前述した第１保持片５９に係合可能な第１保持突部１０９がそれぞれ形成されている。上部第３側壁１０８の後端側には、上壁１０１から上部第３側壁１０８に沿うように係合側壁１０１Ｂが立設されており、係合側壁１０１Ｂの外面には第２保持片６０に係合可能な第２保持突部１１０が外側に向かって形成されている。各保持突部１０９、１１０は係合方向前側に向かって先細りしており、その係合方向前側には案内面１１１が形成されている。
【００４６】
一方、係合方向後側には各側壁に直交する係止面１１２が形成されている。第１保持片５９及び第１保持突部１０９並びに第２保持片６０及び第２保持突部１１０は、本発明の「係合機構」を構成し、それぞれ係合することで上部カバー１００と下部カバー５０とを一体化状態に保持する。
【００４７】
また、両上部第１側壁１０３の外面であって第１保持突部１０９の後方側には、それぞれ外側に突出して係合方向（図６の上下方向）に沿ったガイド部１１３が設けられている。これらガイド部１１３は各保持突部１０９に対応する保持片５９が係合する際に、係合方向に沿うように保持片５９を規制することで、両者の係合を確実に行うようになっている。また、係合側壁１０１Ｂの外面であって第２保持突部１１０の両側にも同様のガイド部１１３が設けられている。
【００４８】
雌ハウジング２１に上部カバー１００及び下部カバー５０を組み付けるには、まず、下部カバー５０の収容スペースＳＬ１に、雌ハウジング２１の前端を上から嵌合させ、雌ハウジング２１の嵌合突部２１Ｂを嵌合凹部５５に嵌合させる。次に、雌ハウジング２１から延出された電線群Ｗを屈曲させて下部カバー５０の水平配索スペースＳＬ２及び垂直配索スペースＳＬ３内に収容する。
【００４９】
次に、雌ハウジング２１を上下から挟み込むようにして、下部カバー５０に上部カバー１００を組み付ける。すると、各第１保持突部１０９の案内面１１１が各第１保持片５９の連結部６２に突き当たり、各第１保持片５９は外方へ撓み変形する。そして、各第１保持突部１０９が各係止孔６３に至ると、各第１保持片５９は合体方向（図６の上方向）に沿った元の姿勢に弾性復帰する。これにより、各第１保持突部１０９の係止面１１２と連結部６２とが係止される。また同時に、第２保持突部１１０も第２保持片６０に係止される。かくして、上部カバー１００と下部カバー５０とが係合状態で保持され、電線導出口４１から電線群Ｗを導出した状態で電線カバー付きコネクタ２０の組み付けが完了する。
【００５０】
次に、電線カバー付きコネクタ２０の雌ハウジング２１に雄ハウジング１１を嵌合させる。嵌合の初期段階では、ロックアーム３１は水平姿勢を保った状態のまま雄ハウジング１１のフード部１２内に差し込まれてゆく。やがて、ロック突部３２の案内面３２Ａがフード部１２のロック受け部１４に突き当たって、ロックアーム３１は下方へ撓み変位して斜め姿勢となる。その後、ロック突部３２がロック受け部１４の係止面１４Ａに至ると、ロックアーム３１は元の水平な姿勢に弾性復帰する（図５参照）。これにより、ロック突部３２の係止面３２Ｂとロック受け部の係止面１５Ａとが対面して位置することで電線カバー付きコネクタ２０と雄コネクタ１０との嵌合が保持される。
【００５１】
嵌合状態にある両コネクタ１０、２０の嵌合を解除し、これらを分離するためには、図５ないし図７にて示すように、手指Ｆを雌ハウジング２１の後方から導入部１０１Ａに差し入れてやり、手指Ｆの先端をロック解除操作部３５に当てる。また、指掛け部５１Ｂの前面側に他の手指（図示せず）を掛けておく。
【００５２】
そして、図８にて示すように手指Ｆでロック解除操作部３５を下向きに押圧操作すればよい。ロック解除操作部３５が押圧されると、ロックアーム３１がその基端側を支点として撓み空間２８内に弾性変形する結果、ロック受け部１４とロック突部３２とのロックが解除される。そして、ロック解除操作部３５を押圧したまま、手指Ｆと指掛け部５１Ｂに当てた指とで電線カバー付きコネクタ２０を掴みながら、これを後方に引張ることで、両コネクタ１０、２０を分離できる。
【００５３】
本発明によれば、電線カバー付きコネクタ２０と雄コネクタ１０とが嵌合している状態で、この嵌合を解除するためには、手指Ｆを電線カバー付きコネクタ２０の後方から導入部１０１Ａに差し入れ、ロック解除操作部３５を押圧すればよい。このようにすれば、電線導出口４１及びそこから導出された電線群Ｗが手指Ｆの差し入れの邪魔にならず嵌合解除作業を容易に行うことができる。また、電線導出口４１をロック解除操作部３５の後方に連なる領域から外すことで導入部１０１Ａを形成してあるため、電線導出口４１を雌ハウジング２１の後方に離すように配置して導入部１０１Ａを形成する構成と比べると電線カバー４０全体を小型化できる。
【００５４】
また、電線カバー４０は、電線群Ｗの導出方向に沿って分割された上部カバー１００と下部カバー５０とから構成されているから、電線群Ｗを予め電線カバー４０の形状に対応して屈曲させておき、上部カバー１００と下部カバー５０との間に挟み込むようにすれば、一体部品で屈曲する筒状の電線カバーに電線群Ｗを挿入するのと比べて、電線カバー４０内に電線群Ｗを容易に収納することができる。また、上部カバー１００と下部カバー５０との合わせ面は電線導出口４１の周縁以外ではロックアーム３１を配置した外側面（雌ハウジング２１の上面２１Ａ）とほぼ並行するように配置されている。このため上部カバー１００及び下部カバー５０の継ぎ目が側面に現れ導入部１０１Ａを継ぎ目のないフラットな面とできるから、手指Ｆを導入部１０１Ａに差し入れ易くなる。
【００５５】
また、上部カバー１００及び下部カバー５０を一体化状態に保持するための係合機構がロック解除操作部３５を雌ハウジング２１の左右両側方から挟む位置と、ロック解除操作部３５から離れた後端部とに設けられている。このようにしておけば、導入部１０１Ａに手指Ｆを置く際に各係合機構が邪魔にならないため嵌合解除作業が行い易い。
【００５６】
また、上部カバー１００には電線導出口４１を構成する電線導出筒５２Ａが一体に立ち上がり形成されている。このようにしておけば、Ｌ字型に屈曲された電線群Ｗが、例えば弾性復帰により図３の左側に傾こうとしても、電線導出筒５２Ａの内面に当接することで、この傾きが規制される。このため、より確実に電線群Ｗを導出方向（図３の上方向）に向けることができる。また結束バンドやテープなどを電線群Ｗに巻きつけて電線導出筒５２Ａに固定すれば、電線群Ｗの導出方向をさらに確実に固定できる。
＜他の実施形態＞
本発明は上記記述及び図面によって説明した実施形態に限定されるものではなく、例えば次のような実施形態も本発明の技術的範囲に含まれる。
【００５７】
（１）本実施形態では、電線導出口４１（第１半割体５２及び第２半割体１０２）を、雌ハウジング２１のロックアーム３１を配置した上面３１Ａに対して直交するように形成したが、この構成に限定されず、電線導出口４１を上面３１Ａに対して斜めに交差するように形成してもよい。
【００５８】
（２）本実施形態では、電線導出口４１を雌ハウジング２１の後ろから見て右側に偏らせて配置することで導入部１０１Ａを形成したが、これに限定されない。電線導出口４１は前記ロック解除操作部の後方に連なる領域から外して形成されていればよく、例えば雌ハウジング２１の後ろから見て左側に偏らせて配置してもよい。
【００５９】
（３）本実施形態では、電線カバー４０は上部カバー１００と下部カバー５０とから分割される構成としたが、一体部品でもよい。
【００６０】
（４）本実施形態では、上部カバー１００と下部カバー５０とは分離している構成としたが、例えば撓み変形可能なヒンジなどを介して両カバーを連結する構成としてもよい。
【図面の簡単な説明】
【００６１】
【図１】電線カバー付きコネクタの平面図
【図２】電線カバー付きコネクタの側面図
【図３】電線カバー付きコネクタの正面図
【図４】電線カバー付きコネクタの分解平面図
【図５】電線カバー付きコネクタと相手方コネクタとの嵌合状態を示す断面図
【図６】電線カバーの分解側面図
【図７】電線カバーの分解正面図
【図８】電線カバーの分解背面図
【図９】嵌合解除操作を示す電線カバー付きコネクタの平面図
【図１０】嵌合解除操作を示す電線カバー付きコネクタの側面図
【図１１】ロック解除操作部を押圧した状態を示す電線カバー付きコネクタの一部断面図
【図１２】従来例の電線カバー付きコネクタの側面図
【図１３】従来例の電線カバー付きコネクタの平面図
【符号の説明】
【００６２】
１０…雄コネクタ（本発明における「相手方コネクタ」に相当）
２０…電線カバー付きコネクタ
２１…コネクタハウジング
３１Ａ…上面（本発明における「外側面」に相当）
３１…ロックアーム
３５…ロック解除操作部
４０…電線カバー
４１…電線導出口
５０…下部カバー
５２Ａ…電線導出筒
５３ＲＡ…下部第１側壁５３Ｒの上面（本発明における「合わせ面」に相当）
５３ＬＡ…下部第１側壁５３Ｌの上面（本発明における「合わせ面」に相当）
５８Ａ…下部第３側壁５８の上面（本発明における「合わせ面」に相当）
５７Ａ…下部第２側壁５７の内面（本発明における「合わせ面」に相当）
５９…第１保持片（本発明における「係合機構」に相当）
６０…第２保持片（本発明における「係合機構」に相当）
１００…上部カバー
１０１Ａ…導入部
１０２Ａ…第２半割体１０２の各側面（本発明における「合わせ面」に相当）
１０３ＲＡ…上部第１側壁１０３Ｒの下面（本発明における「合わせ面」に相当）
１０３ＬＡ…上部第１側壁１０３Ｌの下面（本発明における「合わせ面」に相当）
１０８Ａ…上部第３側壁１０８の下面（本発明における「合わせ面」に相当）
１０９…第１保持突部（本発明における「係合機構」に相当）
１１０…第２保持突部（本発明における「係合機構」に相当）
Ｆ…手指
Ｗ…電線群
【図１】
2010009788.tif 000003
【図２】
2010009788.tif 000004
【図３】
2010009788.tif 000005
【図４】
2010009788.tif 000006
【図５】
2010009788.tif 000007
【図６】
2010009788.tif 000008
【図７】
2010009788.tif 000009
【図８】
2010009788.tif 000010
【図９】
2010009788.tif 000011
【図１０】
2010009788.tif 000012
【図１１】
2010009788.tif 000013
【図１２】
2010009788.tif 000014
【図１３】
2010009788.tif 000015